(57)【要約】【課題】連弾モードが設定された状態で、ペダル操作の教習を行うことが可能となる電子鍵盤楽器を提供する。【解決手段】ユーザが、連弾モードを選択した状態で、非ペダル教習モードをペダル教習モードに切り替えると、左ペダル１ｂ１および右ペダル１ｂ３にそれぞれ設定された各機能は逆に、つまり、左ペダル１ｂ１は右鍵域１ａ２用のダンパ・ペダルとして機能するように、右ペダル１ｂ３は左鍵域１ａ２用のダンパ・ペダルとして機能するように設定され、右ペダル操作表示器８ａ１に右ペダル１ｂ３の操作状態を表示させるとともに、左ペダル操作表示器８ａ２に左ペダル１ｂ１の操作状態を表示させるように制御される。【選択図】図２
2009229986.tif 000002
【特許請求の範囲】
【請求項１】
複数の鍵を備えた鍵盤と、
複数のペダルと、
前記鍵盤に対する押鍵に応じて楽音を生成するとともに、前記各ペダルに対する操作に応じて、前記生成される楽音に所定の楽音効果を付与する音源と、
連弾モードを選択設定する第１の設定手段と、
ペダル教習モードを選択設定する第２の設定手段と、
前記第１の設定手段による連弾モードの設定に応じて、前記鍵盤の全鍵域を、少なくとも第１の部分鍵域と第２の部分鍵域に分割するとともに、該第１および第２の部分鍵域のそれぞれに音域を設定し、さらに、該第１および第２の部分鍵域のそれぞれに前記複数のペダルのうちの異なった１つを対応付けるように制御する制御手段と、
前記連弾モードが設定された状態で、前記第２の設定手段によってペダル教習モードが設定されたときに、前記第１および第２の部分鍵域のうちのいずれか一方の部分鍵域に対応付けられたペダルの操作がなされた場合、当該ペダルの操作を、他方の部分鍵域の演奏者に対して聴覚的および／または視覚的に報知する報知手段と
を有することを特徴とする電子鍵盤楽器。
【請求項２】
前記報知手段が聴覚的に報知するとは、前記一方の部分鍵域に対応付けられたペダルの操作に応じた所定の楽音効果を、前記他方の部分鍵域の演奏者の当該他方の部分鍵域に対する押鍵に応じて前記音源によって生成された楽音に付与することで、前記他方の部分鍵域の演奏者に聴覚的に報知することであることを特徴とする請求項１に記載の電子鍵盤楽器。
【請求項３】
前記他方の部分鍵域の演奏者のための表示手段をさらに有し、
前記報知手段が視覚的に報知するとは、前記一方の部分鍵域に対応付けられたペダルの操作を前記表示手段に表示することで、前記他方の部分鍵域の演奏者に視覚的に報知することであることを特徴とする請求項１に記載の電子鍵盤楽器。
【発明の詳細な説明】
【技術分野】
【０００１】
本発明は、連弾モードを備えた電子鍵盤楽器に関する。
【背景技術】
【０００２】
連弾モードを備えた電子鍵盤楽器は、従来から知られている。
【０００３】
このような電子鍵盤楽器として、連弾モードが選択されたときに、所定の鍵盤分割ポイントで鍵盤を２つの鍵域に分割し、各鍵域の音域を略同一にすることで、１台の電子鍵盤楽器を２人で連弾できるようにしたものがある（たとえば、特許文献１参照）。そして、この従来の電子鍵盤楽器では、通常はそれぞれ異なる機能が割り当てられた左右２つのペダルを、連弾モードのときには、各鍵域のダンパ・ペダルとして使用するようにしている。
【特許文献１】特開２０００−２００６３号公報
【発明の開示】
【発明が解決しようとする課題】
【０００４】
ところで、初心者にとって、ペダル操作は難しい。特に、ペダル操作をどのタイミングで行えばよいかを試したり、ペダル操作のタイミングによって楽音がどう変化するかを試したりするために、初心者自らが鍵盤を演奏しながら、タイミングを見計らってペダルを操作することは難しかった。したがって、連弾モードを選択して、先生と生徒が連弾できる状況で、先生がペダル操作の手本を見せたり、生徒の鍵盤演奏に、先生がタイミングを見計らってペダル操作に応じた楽音効果を付与したりすることにより、ペダル操作の教習を行いたいという要望がある。
【０００５】
しかし、上記従来の電子鍵盤楽器では、連弾モードは、単純に２人の演奏者が連弾するために設けられており、ペダル操作を教習するための機能は設けられていないので、この要望に応えることはできなかった。
【０００６】
本発明は、この点に着目してなされたものであり、連弾モードが設定された状態で、ペダル操作の教習を行うことが可能となる電子鍵盤楽器を提供することを目的とする。
【課題を解決するための手段】
【０００７】
上記目的を達成するため、請求項１に記載の電子鍵盤楽器は、複数の鍵を備えた鍵盤と、複数のペダルと、前記鍵盤に対する押鍵に応じて楽音を生成するとともに、前記各ペダルに対する操作に応じて、前記生成される楽音に所定の楽音効果を付与する音源と、連弾モードを選択設定する第１の設定手段と、ペダル教習モードを選択設定する第２の設定手段と、前記第１の設定手段による連弾モードの設定に応じて、前記鍵盤の全鍵域を、少なくとも第１の部分鍵域と第２の部分鍵域に分割するとともに、該第１および第２の部分鍵域のそれぞれに音域を設定し、さらに、該第１および第２の部分鍵域のそれぞれに前記複数のペダルのうちの異なった１つを対応付けるように制御する制御手段と、前記連弾モードが設定された状態で、前記第２の設定手段によってペダル教習モードが設定されたときに、前記第１および第２の部分鍵域のうちのいずれか一方の部分鍵域に対応付けられたペダルの操作がなされた場合、当該ペダルの操作を、他方の部分鍵域の演奏者に対して聴覚的および／または視覚的に報知する報知手段とを有することを特徴とする。
【０００８】
請求項２に記載の電子鍵盤楽器は、請求項１の電子鍵盤楽器において、前記報知手段が聴覚的に報知するとは、前記一方の部分鍵域に対応付けられたペダルの操作に応じた所定の楽音効果を、前記他方の部分鍵域の演奏者の当該他方の部分鍵域に対する押鍵に応じて前記音源によって生成された楽音に付与することで、前記他方の部分鍵域の演奏者に聴覚的に報知することであることを特徴とする。
【０００９】
請求項３に記載の電子鍵盤楽器は、請求項１の電子鍵盤楽器において、前記他方の部分鍵域の演奏者のための表示手段をさらに有し、前記報知手段が視覚的に報知するとは、前記一方の部分鍵域に対応付けられたペダルの操作を前記表示手段に表示することで、前記他方の部分鍵域の演奏者に視覚的に報知することであることを特徴とする。
【発明の効果】
【００１０】
請求項１に記載の発明によれば、連弾モードが設定された状態で、ペダル教習モードが設定されたときに、第１および第２の部分鍵域のうちのいずれか一方の部分鍵域に対応付けられたペダルの操作がなされた場合、当該ペダルの操作が、他方の部分鍵域の演奏者に対して聴覚的および／または視覚的に報知されるので、連弾モードが設定された状態で、ペダル操作の教習を行うことが可能となる。
【発明を実施するための最良の形態】
【００１１】
以下、本発明の実施の形態を図面に基づいて詳細に説明する。
【００１２】
図１は、本発明の一実施の形態に係る電子鍵盤楽器の概略構成を示すブロック図である。
【００１３】
同図に示すように、本実施の形態の電子鍵盤楽器は、音高情報を含む演奏データを入力するための鍵盤および所定の楽音効果を付与するための３つのペダルを含む演奏操作子１と、各種情報を入力するための複数のスイッチやダイアル、ジョイスティックを含む設定操作子２と、演奏操作子１の操作状態を検出する検出回路３と、設定操作子２の操作状態を検出する検出回路４と、装置全体の制御を司るＣＰＵ５と、該ＣＰＵ５が実行する制御プログラムや各種テーブルデータ等を記憶するＲＯＭ６と、演奏データ、各種入力情報および演算結果等を一時的に記憶するＲＡＭ７と、各種情報等を表示する、たとえば液晶ディスプレイ（ＬＣＤ）および発光ダイオード（ＬＥＤ）等を備えた表示装置８と、前記制御プログラムを含む各種アプリケーションプログラムや各種楽曲データ、各種データ等を記憶する記憶装置９と、図示しない外部機器を接続し、この外部機器とデータの送受信を行う通信インターフェース（Ｉ／Ｆ）１０と、演奏操作子１から入力された演奏データや、前記記憶装置９に記憶されたいずれかの楽曲データを再生して得られた演奏データ等を楽音信号に変換するとともに、その楽音信号に各種効果を付与するための音源・効果回路１１と、該音源・効果回路１１からの楽音信号を音響に変換する、たとえば、ＤＡＣ（Digital-to-Analog Converter）やアンプ、スピーカ等のサウンドシステム１２とにより構成されている。
【００１４】
上記構成要素３〜１１は、バス１３を介して相互に接続され、音源・効果回路１１にはサウンドシステム１２が接続されている。
【００１５】
表示装置８には、本実施の形態では、３つのＬＣＤが含まれている。１つは、操作パネル（図示せず）の中央に位置するメインＬＣＤであり、１つは、連弾時に左側の演奏者（先生）が見易い、操作パネルの左寄りに位置し、前記３つのペダルのうちの右ペダルの操作状態を表示する小型のＬＣＤ（後述する図２（ｂ）の右ペダル操作表示器８ａ１）であり、残りの１つは、連弾時に右側の演奏者（生徒）が見易い、操作パネルの右寄りに位置し、前記３つのペダルのうちの左ペダルの操作状態を表示する小型のＬＣＤ（図２（ｂ）の左ペダル操作表示器８ａ２）である。
【００１６】
記憶装置９は、たとえば、フレキシブルディスク（ＦＤ）、ハードディスク（ＨＤ）、ＣＤ−ＲＯＭ、ＤＶＤ（デジタル多目的ディスク）、光磁気ディスク（ＭＯ）および半導体メモリなどの記憶媒体とその駆動装置である。記憶媒体は、駆動装置から着脱可能であってもよいし、記憶装置９自体が、電子鍵盤楽器から着脱可能であってもよい。あるいは、記憶媒体も記憶装置９も着脱不可能であってもよい。なお、記憶装置９（の記憶媒体）には、前述のように、ＣＰＵ５が実行する制御プログラムも記憶でき、ＲＯＭ６に制御プログラムが記憶されていない場合には、この記憶装置９に制御プログラムを記憶させておき、それをＲＡＭ７に読み込むことにより、ＲＯＭ６に制御プログラムを記憶している場合と同様の動作をＣＰＵ５にさせることができる。このようにすると、制御プログラムの追加やバージョンアップ等が容易に行える。
【００１７】
通信Ｉ／Ｆ１０としては、たとえば、ＭＩＤＩ信号などの音楽信号を専用に送受信する音楽専用有線Ｉ／Ｆ、ＵＳＢ（ユニバーサル・シリアル・バス）やＩＥＥＥ１３９４（アイトリプルイー１３９４）などの汎用近距離有線Ｉ／Ｆ、Ｅｔｈｅｒｎｅｔ（登録商標）などの汎用ネットワークＩ／Ｆ、無線ＬＡＮ（local area network）やＢｌｕｅｔｏｏｔｈ（登録商標）などの汎用近距離無線Ｉ／Ｆを挙げることができる。本実施の形態では、通信Ｉ／Ｆ１０として、ＵＳＢを採用しているが、これに代えて他の種類のＩ／Ｆを採用してもよいし、これに他の種類のＩ／Ｆを加えるようにしてもよい。
【００１８】
以上のように構成された電子鍵盤楽器が実行する制御処理を、まず図２を参照してその概要を説明し、次に図３を参照して詳細に説明する。
【００１９】
本実施の形態の電子鍵盤楽器には、動作モードとして、非連弾モードと連弾モードが設けられ、連弾モードには、非ペダル教習モードとペダル教習モードが設けられている。図２は、連弾モードが選択されたときに、ペダル操作を含む演奏操作に応じて前記ＣＰＵ５が実行する制御処理を説明するための図であり、同図（ａ）は、非ペダル教習モードが選択された場合を示し、同図（ｂ）は、ペダル教習モードが選択された場合を示している。
【００２０】
ユーザが、たとえば前記設定操作子２に含まれる動作モード切替スイッチ（図示せず）を用いて、動作モードを非連弾モードから連弾モードに初めて（たとえば、購入してから初めて）切り替えると、このときのデフォルトモードは非ペダル教習モードであるので、まずＣＰＵ５は、図２（ａ）に示すように、所定の鍵域分割位置（本実施の形態では、鍵盤の中央位置）で、鍵盤の全鍵域を左鍵域１ａ１と右鍵域１ａ２に分割した後、左鍵域１ａ１および右鍵域１ａ２の各音域を同一に設定する。次にＣＰＵ５は、左ペダル１ｂ１を左鍵域１ａ１用のダンパ・ペダルとして機能するように、右ペダル１ｂ３を右鍵域１ａ２用のダンパ・ペダルとして機能するように設定する。そしてＣＰＵ５は、左鍵域１ａ１に対する押鍵がなされたときには、その押鍵に応じたキーイベントを生成して音源の左パートに供給し、さらに、左ペダル１ｂ１が操作されたときには、その操作に応じた操作イベントを生成して音源の左パートに供給する。一方、ＣＰＵ５は、右鍵域１ａ２に対する押鍵がなされたときには、その押鍵に応じたキーイベントを生成して音源の右パートに供給し、さらに、右ペダル１ｂ３が操作されたときには、その操作に応じた操作イベントを生成して音源の右パートに供給する。ここで音源とは、前記音源・効果回路１１を意味する（以下、同様）。なお、この制御処理、つまり連弾モード＆（かつ）非ペダル教習モードが選択されているときの制御処理と、連弾モードが選択されているときに前記従来の電子鍵盤楽器が実行する制御処理とは、その制御処理の方法は異なるものの、その制御処理によって得られる結果は異ならない。
【００２１】
次にユーザが、連弾モードを選択した状態で、前記動作モード切替スイッチを用いて非ペダル教習モードをペダル教習モードに切り替えると、ＣＰＵ５は、左ペダル１ｂ１および右ペダル１ｂ３にそれぞれ設定した前記各機能を逆に（左ペダル１ｂ１を右鍵域１ａ２用のダンパ・ペダルとして機能するように、右ペダル１ｂ３を左鍵域１ａ２用のダンパ・ペダルとして機能するように）設定し、前記右ペダル操作表示器８ａ１に右ペダル１ｂ３の操作状態を表示させるとともに、前記左ペダル操作表示器８ａ２に左ペダル１ｂ１の操作状態を表示させるように制御する。
【００２２】
このように、連弾モード＆ペダル教習モードが選択されたときには、たとえば、左鍵域１ａ１を先生が演奏し、右鍵域１ａ２を生徒が演奏するとして、先生は、自分の近くに設けられた左ペダル１ｂ１を操作することで、その操作タイミングを生徒の近くに設けられた左ペダル操作表示器８ａ２に表示することができるとともに、その操作タイミングでの楽音の変化を聴覚的に生徒に知らせることができる。その際、生徒は、ペダル操作を行わずに、右鍵域１ａ２を演奏するだけでよい。
【００２３】
逆に、先生が左鍵域１ａ１を演奏することで発生した楽音に、生徒が自分の近くに設けられた右ペダル１ｂ３を操作することで楽音効果を付与する、つまりペダル操作の練習を行うこともできる。そして先生は、自分の近くに設けられた右ペダル操作表示器８ａ１に表示された、生徒のペダル操作のタイミングを見るとともに、そのペダル操作に応じた楽音効果を聴くことにより、生徒のペダル操作の良否を判定することができる。
【００２４】
次に、この制御処理を詳細に説明する。
【００２５】
図３は、本実施の形態の電子鍵盤楽器、特にＣＰＵ５が実行するメインルーチンの手順を示すフローチャートである。
【００２６】
本メインルーチンは、主として、
（１）押鍵に応じた楽音生成処理
（２）ペダル操作に応じた楽音効果付与処理
によって構成されている。そして、上記（１）の楽音生成処理は、
（１１）非連弾モードが選択されたときの楽音生成処理（ステップＳ４）
（１２）連弾モードが選択されたときの楽音生成処理（ステップＳ３）
によって構成され、上記（２）の楽音効果付与処理は、
（２１）非連弾モードが選択されたときの楽音効果付与処理（ステップＳ１０）
（２２）連弾モード＆非ペダル教習モードが選択されたときの楽音効果付与処理（ステップＳ７）
（２３）連弾モード＆ペダル教習モードが選択されたときの楽音効果付与処理（ステップＳ８）
によって構成されている。さらに、上記（２３）の楽音効果付与処理に続いて、
（３１）ペダル操作表示処理（ステップＳ９）
も設けられている。
【００２７】
本メインルーチンは、ユーザによって前記設定操作子２に含まれる電源スイッチ（図示せず）が操作されて、電源がオンされたときに起動され、電源がオフされるまで継続する。なお、本メインルーチンには、前記（１）および（２）の処理の他にも、初期設定処理や動作モードの切替処理、動作モードが連弾モードに切り替えられたときに、鍵盤の鍵域を分割する鍵域分割処理などの処理が含まれているが、説明の便宜上、図３には（１）および（２）の処理のみが記載されている。
【００２８】
非連弾モードが選択された状態で、ユーザが押鍵操作を行うと、ＣＰＵ５は、処理を前記（１１）の楽音生成処理に進める（ステップＳ１→Ｓ２→Ｓ４）。この（１１）楽音生成処理では、ＣＰＵ５は、前記検出回路３によって検出された押鍵状態に応じたキーイベント（キーオン／オフイベント）を生成して音源へ供給する。ここで、生成されるキーイベントは、通常の押鍵操作に応じたもの、つまり、押鍵操作された鍵に元々割り当てられている音高の楽音を発音させるものである。音源は、供給されたキーイベントに応じた楽音信号を生成するための楽音パラメータを、対応するレジスタに設定する。
【００２９】
次に、ユーザがペダル操作を行うと、ＣＰＵ５は、処理を前記（２１）の楽音効果付与処理に進める（ステップＳ５→Ｓ６→Ｓ１０）。この（２１）楽音効果付与処理では、ＣＰＵ５は、操作されたペダルが前記右ペダル１ｂ３である場合には、右ペダル１ｂ３に元々割り当てられた楽音効果である、ダンパ効果を付与するための操作イベントを生成し、操作されたペダルが前記左ペダル１ｂ１である場合には、左ペダル１ｂ１に元々割り当てられた楽音効果である、ソフト効果を付与するための操作イベントを生成し、操作されたペダルが前記中央ペダル１ｂ２である場合には、中央ペダル１ｂ２に元々割り当てられた楽音効果である、ソステヌート効果を付与するための操作イベントを生成し、生成した操作イベントを音源へ供給する。音源は、供給された操作イベントに応じた楽音効果を付与するための楽音パラメータを生成して、対応するレジスタに設定する。
【００３０】
一方、連弾モード＆非ペダル教習モードが選択された状態で、ユーザが押鍵操作を行うと、ＣＰＵ５は、処理を前記（１２）の楽音生成処理に進める（ステップＳ１→Ｓ２→Ｓ３）。この（１２）楽音生成処理では、ＣＰＵ５は、前記検出回路３によって検出された押鍵状態が前記右鍵域１ａ２に含まれる鍵についてのものであるときには、その押鍵状態に応じたキーイベントを生成して音源の右パートへ供給する一方、検出回路３によって検出された押鍵状態が前記左鍵域１ａ１に含まれる鍵についてのものであるときには、その押鍵状態に応じたキーイベントを生成して音源の左パートへ供給する。ここで、音源の右パートとは、ＳＭＦ（standard MIDI file）で言うところの、１つのＭＩＤＩチャンネルに相当し、右鍵域１ａ２に対する押鍵に応じた楽音信号を生成するためのものである。音源の左パートも同様に、右パートとは別の１つのＭＩＤＩチャンネルに相当し、左鍵域１ａ１に対する押鍵に応じた楽音信号を生成するためのものである。本実施の形態では、ＣＰＵ５は、その押鍵が左鍵域１ａ１に対するものであっても右鍵域１ａ２に対するものであっても、前記ステップＳ４で生成したキーイベントと同様のキーイベントを生成するようにし、ただ、左鍵域１ａ１に対する押鍵である場合には、そのキーイベントに左パートを示す情報を付与し、右鍵域１ａ２に対する押鍵である場合には、そのキーイベントに右パートを示す情報を付与した後、音源に供給するようにしている。つまり、前記「キーイベントを生成して音源の左パートに供給する」とは、左パートを示す情報を付与したキーイベントを音源に供給することであり、前記「キーイベントを生成して音源の右パートに供給する」とは、右パートを示す情報を付与したキーイベントを音源に供給することである。そして、音源側で、供給されたキーイベントを解析し、左パートのものについては、そのキーイベントに含まれる音高情報を、左鍵域１ａ１に設定されている音域に応じた音高に変換した後、その音高の楽音信号を生成するための楽音パラメータを、対応するレジスタに設定する一方、右パートのものについては、そのキーイベントに含まれる音高情報を、右鍵域１ａ２に設定されている音域に応じた音高に変換した後、その音高の楽音信号を生成するための楽音パラメータを、対応するレジスタに設定する。このように、本実施の形態では、鍵域分割後の押鍵に対する音高変換を音源側で行うようにしたが、これに限らず、ＣＰＵ５がキーイベントを生成する際に行うように、つまり、ＣＰＵ５が音高変換した後のキーイベントを生成するようにしてもよい。
【００３１】
次に、ユーザがペダル操作を行うと、ＣＰＵ５は、処理を前記（２２）の楽音効果付与処理に進める（ステップＳ５→Ｓ６→Ｓ７）。この（２２）楽音効果付与処理では、ＣＰＵ５は、操作されたペダルが右ペダル１ｂ３である場合には、右ペダル１ｂ３に元々割り当てられた楽音効果である、ダンパ効果を付与するための操作イベントを生成し、音源の右パートへ供給する一方、操作されたペダルが左ペダル１ｂ１である場合には、左ペダル１ｂ１に元々割り当てられた楽音効果である、ソフト効果ではなく、右ペダル１ｂ３と同様のダンパ効果を付与するための操作イベントを生成し、音源の左パートへ供給する。ただし、操作されたペダルが中央ペダル１ｂ２である場合には、そのペダル操作は無視される。なお、前記「操作イベントを生成し、音源の右パートへ供給する」とは、右パートを示す情報を付与した操作イベントを生成して音源に供給することを意味し、前記「操作イベントを生成し、音源の左パートへ供給する」とは、左パートを示す情報を付与した操作イベントを生成して音源に供給することを意味する。音源は、供給された操作イベントを解析し、左パートのものについては、左パートで生成される楽音信号に当該操作イベントに応じた楽音効果を付与するための楽音パラメータを生成して、対応するレジスタに設定する一方、右パートのものについては、右パートで生成される楽音信号に当該操作イベントに応じた楽音効果を付与するための楽音パラメータを生成して、対応するレジスタに設定する。
【００３２】
さらに、連弾モード＆ペダル教習モードが選択された状態で、ユーザが押鍵操作を行うと、この場合も連弾モードであるので、ＣＰＵ５は、処理を前記（１２）の楽音生成処理に進める。この（１２）楽音生成処理についての説明は、既に詳述したので、繰り返さない。
【００３３】
次に、ユーザがペダル操作を行うと、ＣＰＵ５は、処理を前記（２３）の楽音効果付与処理に進める（ステップＳ５→Ｓ６→Ｓ８）。この（２３）楽音効果付与処理は、前記（２２）楽音効果付与処理に対して、生成した操作イベントを、鍵域の左右と逆の、音源のパートに供給する点のみが異なっている。これにより、音源は、供給された操作イベントを解析し、左パートのものについては、右パートで生成される楽音信号に当該操作イベントに応じた楽音効果を付与するための楽音パラメータを生成して、対応するレジスタに設定する一方、右パートのものについては、左パートで生成される楽音信号に当該操作イベントに応じた楽音効果を付与するための楽音パラメータを生成して、対応するレジスタに設定する。
【００３４】
そしてＣＰＵ５は、処理を前記（３１）のペダル操作表示処理に進める。この（３１）ペダル操作表示処理では、ＣＰＵ５は、右ペダル１ｂ３が操作されたときには、その操作状態を前記右ペダル操作表示器８ａ１に表示させる一方、左ペダル１ｂ１が操作されたときには、その操作状態を前記左ペダル操作表示器８ａ２に表示させる。ここで、ペダル操作表示器８ａ１および８ａ２に表示される操作状態としては、ペダルのオン／オフや連続量（＝ハーフペダルの状態）などを挙げることができる。
【００３５】
なお、本実施の形態では、ＣＰＵ５は、キーイベントおよび操作イベントを生成して音源に供給するのみであり、楽音パラメータを音源の各レジスタに設定する処理はすべて、音源に委ねるようにしたが、これに限らず、楽音パラメータを音源の各レジスタに設定する処理をＣＰＵ５に行わせるようにしてもよい。
【００３６】
また、本実施の形態では、連弾モードが選択されると、鍵盤の全鍵域は２分割され、分割後の鍵域はそれぞれ同じ長さ（幅）に設定されるとしたが、分割数は“２”に限られず、“３”以上であってもよいし、分割数が“２”であっても、分割後の各鍵域の長さ（幅）が異なるようにしたり、両鍵域に含まれない鍵域を設けるようにしたりしてもよい。さらに、本実施の形態では、分割後の各鍵域には、それぞれ同じ音域が設定されるようにしたが、異なる音域が設定されるようにしてもよい。
【００３７】
また、本実施の形態では、ペダルの数を“３”としたが、“２”であってもよいし、“４”以上であってもよい。さらに、本実施の形態では、非連弾モードが選択されているときに各ペダルに割り当てられている機能は固定としたが、これに限らず、ユーザが任意に設定できるようにしてもよい。
【００３８】
また、本実施の形態では、左右ペダルの操作状態を表示する表示器をメインＬＣＤとは別の小型ＬＣＤとしたが、これに限らず、ＬＥＤなどのＬＣＤ以外の表示器で構成してもよいし、メインＬＣＤの一部を左右ペダルの表示部としてもよい。
【００３９】
また、ペダル操作状態の報知手段は、聴覚的なものと視覚的なものの双方を備えていてもよいし、いずれか一方でもよい。
【００４０】
なお、上述した実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【００４１】
この場合、記憶媒体から読出されたプログラムコード自体が本発明の新規な機能を実現することになり、そのプログラムコードおよび該プログラムコードを記憶した記憶媒体は本発明を構成することになる。
【００４２】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００４３】
また、コンピュータが読出したプログラムコードを実行することにより、上述した実施の形態の機能が実現されるだけでなく、そのプログラムコードの指示に基づき、コンピュータ上で稼働しているＯＳなどが実際の処理の一部または全部を行い、その処理によって上述した実施の形態の機能が実現される場合も含まれることは言うまでもない。
【００４４】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した実施の形態の機能が実現される場合も含まれることは言うまでもない。
【図面の簡単な説明】
【００４５】
【図１】本発明の一実施の形態に係る電子鍵盤楽器の概略構成を示すブロック図である。
【図２】連弾モードが選択されたときに、ペダル操作に応じて図１のＣＰＵが実行する制御処理を説明するための図である。
【図３】図１の電子鍵盤楽器、特にＣＰＵが実行するメインルーチンの手順を示すフローチャートである。
【符号の説明】
【００４６】
１…演奏操作子（鍵盤、ペダル），２…設定操作子（第１の設定手段、第２の設定手段），５…ＣＰＵ（第１の設定手段、第２の設定手段、制御手段、報知手段、表示手段），８…表示装置（報知手段、表示手段），１１…音源・効果回路（音源）
【図１】
2009229986.tif 000003
【図２】
2009229986.tif 000004
【図３】
2009229986.tif 000005